(57)【要約】【課題】リッピング処理の制限回数に達した記憶媒体を譲渡されたユーザが所有するコンテンツ再生装置によりリッピング処理を行うことが可能なコンテンツ管理システムおよびコンテンツ管理システムの制御方法を提供する。【解決手段】このコンテンツ管理システム１００は、ブルーレイディスク４からリッピング処理を行うＢＤレコーダ１と、著作権管理サーバ２とを備え、著作権管理サーバ２の制御部２２は、ＢＤレコーダ１から取得したディスクＩＤ４２とレコーダＩＤ４３との組み合わせが、記憶部２２に記憶されている組み合わせと一致しない場合、または、記憶部２２に記憶されているディスクＩＤ４２に組み合わせられているレコーダＩＤの数が所定の複数の許容数に達している場合に、ブルーレイディスク４に対するリッピング制限回数をリセットするリセット可否判断制御を行うように構成されている。【選択図】図１
2015207054.tif 000002
【特許請求の範囲】
【請求項１】
記憶媒体からコンテンツを読み出すとともに、読み出した前記コンテンツを装置側記憶部または外部記憶部に記憶するリッピング処理を行う装置側制御部を含むコンテンツ再生装置と、
個々の前記記憶媒体に対して行われた前記リッピング処理のリッピング制限回数を、個々の前記記憶媒体に固有の媒体識別情報と、前記リッピング処理を行った前記コンテンツ再生装置に固有の装置識別情報との組み合わせとともに記憶するサーバ側記憶部と、サーバ側制御部とを含む、管理サーバとを備え、
前記装置側制御部は、前記リッピング処理時または初めての再生開始時に、前記記憶媒体から前記媒体識別情報を読み出すとともに、前記媒体識別情報と前記装置識別情報とを組み合わせて、前記管理サーバに送信する情報送信制御を行うように構成されており、
前記サーバ側制御部は、前記コンテンツ再生装置から取得した前記媒体識別情報と前記装置識別情報との組み合わせが、前記サーバ側記憶部に記憶されている前記媒体識別情報と前記装置識別情報との組み合わせと一致しない場合、または、前記サーバ側記憶部に記憶されている前記媒体識別情報に組み合わせられている前記装置識別情報の数が所定の複数の許容数に達している場合に、前記記憶媒体に対する前記リッピング制限回数をリセットするリセット可否判断制御を行うように構成されている、コンテンツ管理システム。
【請求項２】
前記サーバ側制御部は、前記コンテンツ再生装置から取得した前記媒体識別情報と前記装置識別情報との組み合わせが、前記サーバ側記憶部に記憶されている前記媒体識別情報と前記装置識別情報との組み合わせと一致しない場合、または、前記サーバ側記憶部に記憶されている前記媒体識別情報に組み合わせられている前記装置識別情報の数が所定の複数の許容数に達している場合に、前記サーバ側記憶部に記憶されている前記媒体識別情報と前記装置識別情報との組み合わせを解除して、前記コンテンツ再生装置から取得した前記媒体識別情報と前記装置識別情報との組み合わせを設定するとともに、前記記憶媒体に対する前記リッピング制限回数をリセットする前記リセット可否判断制御を行うように構成されている、請求項１に記載のコンテンツ管理システム。
【請求項３】
前記装置側制御部は、前記リッピング処理および前記リセット可否判断制御を行った後、前記コンテンツの再生を行う毎に、前記媒体識別情報と前記装置識別情報とを組み合わせて、前記管理サーバに送信するように構成されており、
前記サーバ側制御部は、前記コンテンツの再生を行う毎に、取得した前記媒体識別情報と前記装置識別情報との組み合わせが、前記サーバ側記憶部に記憶されている前記媒体識別情報と前記装置識別情報との組み合わせと一致しない場合、または、取得した前記媒体識別情報と前記装置識別情報との組み合わせが、前記サーバ側記憶部に記憶されている前記媒体識別情報と前記装置識別情報との組み合わせに含まれていない場合に、前記コンテンツの再生の開始を禁止することを示す再生禁止通知信号を、前記コンテンツ再生装置に送信する制御を行うように構成されている、請求項１または２に記載のコンテンツ管理システム。
【請求項４】
前記装置側制御部は、前記管理サーバから、前記再生禁止通知信号を取得した場合に、前記装置側記憶部に記憶されている前記コンテンツを削除する制御を行うように構成されている、請求項３に記載のコンテンツ管理システム。
【請求項５】
前記コンテンツ再生装置は、前記装置側記憶部に格納されている前記コンテンツの一覧を出力可能な出力部をさらに含み、
前記装置側制御部は、前記管理サーバから、前記再生禁止通知信号を取得した場合に、再生の開始を禁止された前記コンテンツを削除した状態で前記コンテンツの一覧を前記出力部に出力させる制御を行うように構成されている、請求項３に記載のコンテンツ管理システム。
【請求項６】
前記装置側制御部は、前記リッピング処理時には前記情報送信制御を行わずに、前記リッピング処理を行った後、前記コンテンツの再生を初めて開始する際に、前記媒体識別情報と前記装置識別情報とを組み合わせて、前記管理サーバに送信する前記情報送信制御を行うように構成されており、
前記サーバ側制御部は、前記媒体識別情報と前記装置識別情報とを取得して、前記リセット可否判断制御を行うように構成されている、請求項１〜５のいずれか１項に記載のコンテンツ管理システム。
【請求項７】
前記装置側制御部は、ユーザの操作に基づいて、前記サーバ側記憶部に記憶されている前記媒体識別情報と前記装置識別情報との組み合わせを解除するための解除要求信号を、前記管理サーバに送信する制御を行うように構成されており、
前記サーバ側制御部は、取得した前記解除要求信号に応じて、前記媒体識別情報と前記装置識別情報との組み合わせを解除する制御を行うように構成されている、請求項１〜６のいずれか１項に記載のコンテンツ管理システム。
【請求項８】
前記装置側制御部は、前記情報送信制御を行う際に、前記媒体識別情報と前記装置識別情報とに加えて、前記管理サーバに送信する前記媒体識別情報と前記装置識別情報との組み合わせと、前記サーバ側記憶部に記憶されている前記媒体識別情報と前記装置識別情報との組み合わせとの比較結果を要求するための比較結果要求信号を、前記管理サーバに送信する制御を行うように構成されており、
前記サーバ側制御部は、前記比較結果要求信号を取得して、前記比較結果を、前記コンテンツ再生装置に送信する制御を行うように構成されている、請求項１〜７のいずれか１項に記載のコンテンツ管理システム。
【請求項９】
前記サーバ側制御部は、１つの前記媒体識別情報に対して、複数の前記装置識別情報を組み合わせるように設定することが可能に構成されているとともに、前記サーバ側記憶部に記憶されている前記媒体識別情報に組み合わせられている前記装置識別情報の数が所定の複数の許容数を超えた場合に、前記記憶媒体に対する前記リッピング制限回数をリセットする前記リセット可否判断制御を行うように構成されている、請求項１〜８のいずれか１項に記載のコンテンツ管理システム。
【請求項１０】
コンテンツ再生装置により、記憶媒体からコンテンツを読み出すとともに、読み出した前記コンテンツを装置側記憶部または外部記憶部に記憶するリッピング処理を行うステップと、
前記記憶媒体から個々の前記記憶媒体に固有の媒体識別情報を読み出すとともに、前記リッピング処理時または初めての再生開始時に、前記媒体識別情報と前記コンテンツ再生装置に固有の装置識別情報との組み合わせを、前記コンテンツ再生装置から、サーバ側記憶部を含む管理サーバに送信するステップと、
前記コンテンツ再生装置から取得した前記媒体識別情報と前記装置識別情報との組み合わせが、前記サーバ側記憶部に記憶されている前記媒体識別情報と前記装置識別情報との組み合わせと一致しない場合、または、前記サーバ側記憶部に記憶されている前記媒体識別情報に組み合わせられている前記装置識別情報の数が所定の複数の許容数に達している場合に、前記管理サーバのサーバ側制御部により、前記記憶媒体に対する前記リッピング制限回数をリセットするステップとを備える、コンテンツ管理システムの制御方法。
【発明の詳細な説明】
【技術分野】
【０００１】
この発明は、コンテンツ管理システムおよびコンテンツ管理システムの制御方法に関し、特に、記憶媒体からコンテンツを読み出すとともに、読み出したコンテンツを記憶部に記憶するリッピング処理を行う装置側制御部を備えたコンテンツ管理システムおよびコンテンツ管理システムの制御方法に関する。
【背景技術】
【０００２】
従来、記憶媒体からコンテンツを読み出すとともに、読み出したコンテンツを記憶部に記憶するリッピング処理を行う装置側制御部を備えたコンテンツ管理システムおよびコンテンツ管理システムの制御方法が知られている（たとえば、特許文献１参照）。
【０００３】
上記特許文献１には、記憶媒体に記憶されているコンテンツを２次記憶媒体にコピーするコピー機能を有するユーザの端末装置を備えたコピー管理システムが開示されている。このコピー管理システムは、ユーザの端末装置がコンテンツを２次記憶媒体にコピーする際に、記憶媒体に固有に付されている媒体識別情報と、ユーザの端末装置に固有に付されているデバイス識別情報とを、ユーザの端末装置から管理サーバ装置に送信するように構成されている。そして、管理サーバ装置は、媒体識別情報とデバイス識別情報とを受信して、ユーザの端末装置にコンテンツの復号化鍵を送信するように構成されている。これにより、記憶媒体の所有者であるユーザの端末装置のみにより、上記記憶媒体に記憶されているコンテンツを２次記憶媒体にコピーすることが可能になる。すなわち、記憶媒体を所有するユーザ以外のユーザの端末装置により、上記記憶媒体に記憶されているコンテンツを２次記憶媒体にコピーされることを抑制することが可能に構成されている。
【先行技術文献】
【特許文献】
【０００４】
【特許文献１】特開２００２−３２８８４６号公報
【発明の概要】
【発明が解決しようとする課題】
【０００５】
ここで、ＢＤＡ（Ｂｌｕ−ｒａｙ（登録商標）  Ｄｉｓｃ  Ａｓｓｏｃｉａｔｉｏｎ）などにより新たなブルーレイディスク（ＢＤ）の規格が策定中である。この新たなＢＤの規格には、記憶媒体に記憶されているコンテンツを２次記憶媒体（記憶部または外部記憶部）に記憶する（リッピング処理する）回数に制限回数を設けるとともに、記憶媒体が他のユーザに譲渡された場合でもリッピング処理することを許す著作権管理方法（たとえば、ＢＤ  Ｂｒｉｄｇｅ）が含まれる予定である。
【０００６】
しかしながら、上記特許文献１のコピー管理システムを、上記ＢＤ  Ｂｒｉｄｇｅなどの規格に対応させた場合には、記憶媒体を譲渡された他のユーザは、他のユーザ自身の端末装置（コンテンツ再生装置）では、リッピング処理ができないという問題点がある。
【０００７】
この発明は、上記のような課題を解決するためになされたものであり、この発明の１つの目的は、記憶媒体を譲渡されたユーザが所有するコンテンツ再生装置によりリッピング処理を行うことが可能なコンテンツ管理システムおよびコンテンツ管理システムの制御方法を提供することである。
【課題を解決するための手段】
【０００８】
上記目的を達成するために、この発明の第１の局面によるコンテンツ管理システムは、記憶媒体からコンテンツを読み出すとともに、読み出したコンテンツを装置側記憶部または外部記憶部に記憶するリッピング処理を行う装置側制御部を含むコンテンツ再生装置と、個々の記憶媒体に対して行われたリッピング処理のリッピング制限回数を、個々の記憶媒体に固有の媒体識別情報と、リッピング処理を行ったコンテンツ再生装置に固有の装置識別情報との組み合わせとともに記憶するサーバ側記憶部と、サーバ側制御部とを含む、管理サーバとを備え、装置側制御部は、リッピング処理時または初めての再生開始時に、記憶媒体から媒体識別情報を読み出すとともに、媒体識別情報と装置識別情報とを組み合わせて、管理サーバに送信する情報送信制御を行うように構成されており、サーバ側制御部は、コンテンツ再生装置から取得した媒体識別情報と装置識別情報との組み合わせが、サーバ側記憶部に記憶されている媒体識別情報と装置識別情報との組み合わせと一致しない場合、または、サーバ側記憶部に記憶されている媒体識別情報に組み合わせられている装置識別情報の数が所定の複数の許容数に達している場合に、記憶媒体に対するリッピング制限回数をリセットするリセット可否判断制御を行うように構成されている。
【０００９】
この発明の第１の局面によるコンテンツ管理システムでは、上記のように、サーバ側制御部を、コンテンツ再生装置から取得した媒体識別情報と装置識別情報との組み合わせが、サーバ側記憶部に記憶されている媒体識別情報と装置識別情報との組み合わせと一致しない場合、記憶媒体に対するリッピング制限回数をリセットするリセット可否判断制御を行うように構成する。または、サーバ側制御部を、コンテンツ再生装置から媒体識別情報と装置識別情報とを取得した際に、サーバ側記憶部に記憶されている媒体識別情報に組み合わせられている装置識別情報の数が所定の複数の許容数に達している場合に、記憶媒体に対するリッピング制限回数をリセットするリセット可否判断制御を行うように構成する。これにより、コンテンツ再生装置を所有するユーザから、他のコンテンツ再生装置を所有する他のユーザに記憶媒体が譲渡された場合でも、他のユーザは、コンテンツ再生装置にリッピング処理させることができる。その結果、記憶媒体を譲渡されたユーザが所有するコンテンツ再生装置によりリッピング処理を行うことができる。
【００１０】
上記第１の局面によるコンテンツ管理システムにおいて、好ましくは、サーバ側制御部は、コンテンツ再生装置から取得した媒体識別情報と装置識別情報との組み合わせが、サーバ側記憶部に記憶されている媒体識別情報と装置識別情報との組み合わせと一致しない場合、または、サーバ側記憶部に記憶されている媒体識別情報に組み合わせられている装置識別情報の数が所定の複数の許容数に達している場合に、サーバ側記憶部に記憶されている媒体識別情報と装置識別情報との組み合わせを解除して、コンテンツ再生装置から取得した媒体識別情報と装置識別情報との組み合わせを設定するとともに、記憶媒体に対するリッピング制限回数をリセットするリセット可否判断制御を行うように構成されている。このように構成すれば、記憶媒体を所有するユーザが代わった場合に、新たなユーザはリッピング処理を制限回数の初期の回数分行うことができる。
【００１１】
上記第１の局面によるコンテンツ管理システムにおいて、好ましくは、装置側制御部は、リッピング処理およびリセット可否判断制御を行った後、コンテンツの再生を行う毎に、媒体識別情報と装置識別情報とを組み合わせて、管理サーバに送信するように構成されており、サーバ側制御部は、コンテンツの再生を行う毎に、取得した媒体識別情報と装置識別情報との組み合わせが、サーバ側記憶部に記憶されている媒体識別情報と装置識別情報との組み合わせと一致しない場合、または、取得した媒体識別情報と装置識別情報との組み合わせが、サーバ側記憶部に記憶されている媒体識別情報と装置識別情報との組み合わせに含まれていない場合に、コンテンツの再生の開始を禁止することを示す再生禁止通知信号を、コンテンツ再生装置に送信する制御を行うように構成されている。このように構成すれば、サーバ側記憶部に記憶されている媒体識別情報と装置識別情報との組み合わせに対応するコンテンツ再生装置以外によりコンテンツが再生されることを抑制することができる。その結果、許容数以上のコンテンツ再生装置が上記コンテンツを再生することが可能な状態となるのを抑制することができる。
【００１２】
この場合、好ましくは、装置側制御部は、管理サーバから、再生禁止通知信号を取得した場合に、装置側記憶部に記憶されているコンテンツを削除する制御を行うように構成されている。このように構成すれば、サーバ側記憶部に記憶されている媒体識別情報と装置識別情報との組み合わせに対応するコンテンツ再生装置以外のコンテンツ再生装置により、コンテンツが再生されるのを確実に抑制することができる。
【００１３】
上記再生禁止通知信号をコンテンツ再生装置に送信する制御を行う管理サーバを備えるコンテンツ管理システムにおいて、好ましくは、コンテンツ再生装置は、装置側記憶部に格納されているコンテンツの一覧を出力可能な出力部をさらに含み、装置側制御部は、管理サーバから、再生禁止通知信号を取得した場合に、再生の開始を禁止されたコンテンツを削除した状態でコンテンツの一覧を出力部に出力させる制御を行うように構成されている。このように構成すれば、再生可能なコンテンツを容易にユーザに視認させることができる。
【００１４】
上記第１の局面によるコンテンツ管理システムにおいて、好ましくは、装置側制御部は、リッピング処理時には情報送信制御を行わずに、リッピング処理を行った後、コンテンツの再生を初めて開始する際に、媒体識別情報と装置識別情報とを組み合わせて、管理サーバに送信する情報送信制御を行うように構成されており、サーバ側制御部は、媒体識別情報と装置識別情報とを取得して、リセット可否判断制御を行うように構成されている。このように構成すれば、リッピング処理時には情報送信制御が行われないので、情報送信制御が行われない分、リッピング処理の際に要する時間を短縮することができる。
【００１５】
上記第１の局面によるコンテンツ管理システムにおいて、好ましくは、装置側制御部は、ユーザの操作に基づいて、サーバ側記憶部に記憶されている媒体識別情報と装置識別情報との組み合わせを解除するための解除要求信号を、管理サーバに送信する制御を行うように構成されており、サーバ側制御部は、取得した解除要求信号に応じて、媒体識別情報と装置識別情報との組み合わせを解除する制御を行うように構成されている。このように構成すれば、ユーザの必要性に応じて、サーバ側記憶部に記憶されている媒体識別情報と装置識別情報との組み合わせを解除することができる。
【００１６】
上記第１の局面によるコンテンツ管理システムにおいて、好ましくは、装置側制御部は、情報送信制御を行う際に、媒体識別情報と装置識別情報とに加えて、管理サーバに送信する媒体識別情報と装置識別情報との組み合わせと、サーバ側記憶部に記憶されている媒体識別情報と装置識別情報との組み合わせとの比較結果を要求するための比較結果要求信号を、管理サーバに送信する制御を行うように構成されており、サーバ側制御部は、比較結果要求信号を取得して、比較結果を、コンテンツ再生装置に送信する制御を行うように構成されている。このように構成すれば、ユーザの所有する媒体識別情報と装置識別情報との組み合わせがサーバ側記憶部に記憶されているか否かを、コンテンツ再生装置側において容易に確認することができる。
【００１７】
上記第１の局面によるコンテンツ管理システムにおいて、好ましくは、サーバ側制御部は、１つの媒体識別情報に対して、複数の装置識別情報を組み合わせるように設定することが可能に構成されているとともに、サーバ側記憶部に記憶されている媒体識別情報に組み合わせられている装置識別情報の数が所定の複数の許容数を超えた場合に、記憶媒体に対するリッピング制限回数をリセットするリセット可否判断制御を行うように構成されている。このように構成すれば、複数のコンテンツ再生装置をユーザが所有する場合でも、許容数以下の複数のコンテンツ再生装置において、リッピング処理を行うことができるとともに、許容数以下の複数のコンテンツ再生装置のうちのいずれでもコンテンツを再生することができる。また、記憶媒体が他のユーザに譲渡されてサーバ側記憶部に記憶されている媒体識別情報に組み合わせられている装置識別情報の数が所定の複数の許容数を超えた場合でも、他のユーザは、リッピング処理およびコンテンツの再生を行うことができる。
【００１８】
この発明の第２の局面によるコンテンツ管理システムの制御方法は、コンテンツ再生装置により、記憶媒体からコンテンツを読み出すとともに、読み出したコンテンツを装置側記憶部または外部記憶部に記憶するリッピング処理を行うステップと、記憶媒体から個々の記憶媒体に固有の媒体識別情報を読み出すとともに、リッピング処理時または初めての再生開始時に、媒体識別情報とコンテンツ再生装置に固有の装置識別情報との組み合わせを、コンテンツ再生装置から、サーバ側記憶部を含む管理サーバに送信するステップと、コンテンツ再生装置から取得した媒体識別情報と装置識別情報との組み合わせが、サーバ側記憶部に記憶されている媒体識別情報と装置識別情報との組み合わせと一致しない場合、または、サーバ側記憶部に記憶されている媒体識別情報に組み合わせられている装置識別情報の数が所定の複数の許容数に達している場合に、管理サーバのサーバ側制御部により、記憶媒体に対するリッピング制限回数をリセットするステップとを備える。
【００１９】
この発明の第２の局面によるコンテンツ管理システムの制御方法は、上記のように、コンテンツ再生装置から取得した媒体識別情報と装置識別情報との組み合わせが、サーバ側記憶部に記憶されている媒体識別情報と装置識別情報との組み合わせと一致しない場合、管理サーバのサーバ側制御部により、記憶媒体に対するリッピング制限回数をリセットするステップを備える。または、サーバ側記憶部に記憶されている媒体識別情報に組み合わせられている装置識別情報の数が所定の複数の許容数に達している場合に、管理サーバのサーバ側制御部により、記憶媒体に対するリッピング制限回数をリセットするステップを備える。これにより、第２の局面によるコンテンツ管理システムの制御方法においても、リッピング処理の制限回数に達した記憶媒体を譲渡されたユーザが、コンテンツ再生装置によりリッピング処理することができる。
【発明の効果】
【００２０】
本発明によれば、上記のように、リッピング処理の制限回数に達した記憶媒体を譲渡されたユーザが所有するコンテンツ再生装置によりリッピング処理を行うことができる。
【図面の簡単な説明】
【００２１】
【図１】本発明の第１実施形態によるコンテンツ管理システムの全体構成を示したブロック図である。
【図２】本発明の第１実施形態によるコンテンツの一覧を説明するための図である。
【図３】本発明の第１実施形態による再生を禁止されたコンテンツが削除された状態のコンテンツの一覧を説明するための図である。
【図４】本発明の第１実施形態によるリッピング処理およびリッピング制限処理を説明するためのフローチャートである。
【図５】本発明の第１実施形態によるコンテンツの再生制御処理を説明するためのフローチャートである。
【図６】本発明の第１実施形態によるリセット可否判断の制御処理を説明するためのフローチャートである。
【図７】本発明の第１実施形態による再生可否判断の制御処理を説明するためのフローチャートである。
【図８】本発明の第２実施形態によるリッピング処理およびコンテンツの再生制御処理を説明するためのフローチャートである。
【図９】本発明の第２実施形態によるリセット可否判断の制御処理を説明するためのフローチャートである。
【図１０】本発明の第３実施形態によるリッピング処理回数の管理およびペアリング解除処理を説明するためのフローチャートである。
【図１１】本発明の第３実施形態によるコンテンツの再生制御処理を説明するためのフローチャートである。
【図１２】本発明の第３実施形態による再生可否判断の制御処理を説明するためのフローチャートである。
【図１３】本発明の第４実施形態によるリッピング処理を実行するか否かを問い合わせる表示を説明するための図である。
【図１４】本発明の第４実施形態によるペアリングの比較制御処理を説明するためのフローチャートである。
【図１５】本発明の第５実施形態によるリセット可否判断の制御処理を説明するためのフローチャートである。
【図１６】本発明の第６実施形態によるペアリングを選択するための表示を説明するための図である。
【図１７】本発明の第６実施形態によるペアリングの選択制御処理を説明するためのフローチャートである。
【図１８】本発明の第７実施形態によるコンテンツの再生制御処理を説明するためのフローチャートである。
【発明を実施するための形態】
【００２２】
以下、本発明の実施形態を図面に基づいて説明する。
【００２３】
（第１実施形態）
図１〜図３を参照して、本発明の第１実施形態によるコンテンツ管理システム１００の構成について説明する。
【００２４】
本発明の第１実施形態によるコンテンツ管理システム１００には、図１に示すように、ブルーレイディスク（ＢＤ）レコーダ１が設けられている。ＢＤレコーダ１は、ブルーレイディスク４を内部に挿入可能に構成されている。また、ＢＤレコーダ１は、外部のメモリ５と接続可能に構成されている。なお、ＢＤレコーダ１は、本発明の「コンテンツ再生装置」の一例である。また、ブルーレイディスク４は、本発明の「記憶媒体」の一例である。また、メモリ５は、本発明の「外部記憶部」の一例である。
【００２５】
また、コンテンツ管理システム１００には、ＢＤレコーダ１ａが設けられている。ＢＤレコーダ１ａは、ＢＤレコーダ１と同様の構成を有する。なお、ＢＤレコーダ１ａには、後述するレコーダＩＤ４３ａが記憶されている。
【００２６】
また、コンテンツ管理システム１００には、著作権管理サーバ２が設けられている。著作権管理サーバ２は、インターネット６を介してＢＤレコーダ１およびＢＤレコーダ１ａと通信可能に構成されている。また、著作権管理サーバ２は、本発明の「管理サーバ」の一例である。
【００２７】
また、コンテンツ管理システム１００には、テレビジョン装置３が設けられている。テレビジョン装置３は、ＢＤレコーダ１とケーブルを介して接続されている。
【００２８】
そして、ブルーレイディスク４は、映像および音声などからなるコンテンツ４１と、固有のディスクＩＤ（Ｉｄｅｎｔｉｔｙ）４２とが予め記憶されている。また、同じコンテンツ４１を含むブルーレイディスク４であっても、個々に別々のディスクＩＤ４２が設けられている。たとえば、ディスクＩＤ４２は、ブルーレイディスク４のバーストカッティングエリアなどに設けられている。なお、ディスクＩＤ４２は、本発明の「媒体識別情報」の一例である。
【００２９】
また、メモリ５は、不揮発性メモリからなり、ＢＤレコーダ１のＵＳＢ（Ｕｎｉｖｅｒｓａｌ  Ｓｅｒｉａｌ  Ｂｕｓ）接続部１４に接続可能に構成されている。そして、メモリ５は、ＵＳＢ接続部１４を介して、ＢＤレコーダ１と、データ（たとえば、コンテンツ４１など）の送受信することが可能に構成されている。そして、メモリ５は、受信したデータを内部に記憶可能に構成されている。
【００３０】
そして、図１に示すように、ＢＤレコーダ１には、制御部１１が設けられている。制御部１１は、ＣＰＵ（Ｃｅｎｔｒａｌ  Ｐｒｏｃｅｓｓｉｎｇ  Ｕｎｉｔ）を含む。また、制御部１１は、ＢＤレコーダ１の各部に制御信号を伝達することによって、ＢＤレコーダ１全体を制御するように構成されている。そして、制御部１１は、ブルーレイディスク４から後述するＢＤドライブ１３によりコンテンツ４１を読み出すとともに、読み出したコンテンツ４１をハードディスクドライブ１５またはメモリ５に記憶するリッピング処理を行うように構成されている。なお、制御部１１は、本発明の「装置側制御部」の一例である。
【００３１】
また、ＢＤレコーダ１には、通信部１２が設けられている。通信部１２は、インターネット６と通信可能に構成されており、インターネット６を介して、著作権管理サーバ２と接続可能に構成されている。
【００３２】
また、ＢＤレコーダ１には、ＢＤドライブ１３が設けられている。ＢＤドライブ１３は、ブルーレイディスク４をＢＤレコーダ１の内部に取り込み可能に構成されている。また、ＢＤドライブ１３は、青紫色半導体レーザ（図示せず）などを含み、制御部１１の指令に基づいて、ブルーレイディスク４に格納されたコンテンツ４１およびディスクＩＤ４２を読み出し可能に構成されている。
【００３３】
また、ＢＤレコーダ１には、ＵＳＢ接続部１４が設けられている。ＵＳＢ接続部１４は、ＵＳＢ規格に基づいた端子を含み、メモリ５と接続可能に構成されている。そして、ＢＤレコーダ１は、ＵＳＢ接続部１４を介して、コンテンツ４１などのデータをメモリ５に送受信するように構成されている。
【００３４】
また、ＢＤレコーダ１には、ハードディスクドライブ１５が設けられている。ここで、第１実施形態では、ハードディスクドライブ１５は、ＢＤレコーダ１に固有のレコーダＩＤ４３およびコンテンツの一覧４４（図２参照）が予め記憶されている。そして、ハードディスクドライブ１５は、ＢＤドライブ１３によりブルーレイディスク４から読み出したコンテンツ４１を、制御部１１の指令に基づいて、ハードディスクドライブ１５の内部に記憶するように構成されている。なお、ハードディスクドライブ１５は、本発明の「装置側記憶部」の一例である。また、レコーダＩＤ４３は、本発明の「装置識別情報」の一例である。
【００３５】
また、ハードディスクドライブ１５は、制御部１１の指令に基づいて、ブルーレイディスク４から読み出したディスクＩＤ４２をコンテンツＩＤ４５として、ハードディスクドライブ１５の内部に記憶するように構成されている。ディスクＩＤ４２とコンテンツＩＤ４５は、同一の情報により構成されている。そして、制御部１１は、コンテンツの一覧４４の内容にコンテンツ４１の内容を追加して、ハードディスクドライブ１５に記憶する（更新する）制御を行うように構成されている。また、ハードディスクドライブ１５は、制御部１１の指令に基づいて、記憶されているコンテンツ４１などを読み出し可能に構成されている。
【００３６】
ここで、第１実施形態では、ＢＤレコーダ１には、ＯＳＤ（Ｏｎ−Ｓｃｒｅｅｎ  Ｄｉｓｐｌａｙ）部１６が設けられている。ＯＳＤ部１６は、図２に示すように、制御部１１の指令に基づいて、ハードディスクドライブ１５に記憶されているコンテンツの一覧４４を出力可能に構成されている。そして、ＯＳＤ部１６は、接続部１７を介して、コンテンツの一覧４４を、テレビジョン装置３に伝達するように構成されている。ＯＳＤ部１６は、本発明の「出力部」の一例である。
【００３７】
そして、制御部１１は、図３に示すように、著作権管理サーバ２から、後述する再生禁止通知信号を取得した場合に、再生の開始を禁止されたコンテンツを削除した状態でコンテンツの一覧４４（図３参照）を、ＯＳＤ部１６に出力させる制御を行うように構成されている。たとえば、コンテンツの一覧４４には、「番組Ａ」〜「番組Ｄ」が含まれており、「番組Ｄ」（図２の符号Ａ）がコンテンツ４１に対応する場合には、図３に示すように、「番組Ｄ」の情報が表示されないように構成されている。
【００３８】
また、ＢＤレコーダ１には、接続部１７が設けられている。接続部１７は、ケーブルを介して、テレビジョン装置３と接続可能に構成されている。そして、接続部１７は、コンテンツ４１の映像音声信号およびＯＳＤ部１６から出力された画像などを、ＢＤレコーダ１からテレビジョン装置３に伝達するように構成されている。
【００３９】
また、ＢＤレコーダ１には、操作受信部１８が設けられている。操作受信部１８は、受光素子等を含む。そして、受光素子は、後述するリモコン１９から発光された赤外光を受光して、ユーザの操作情報を取得するように構成されている。そして、操作受信部１８は、取得したユーザの操作情報を制御部１１に伝送するように構成されている。
【００４０】
また、ＢＤレコーダ１には、リモコン１９が設けられている。リモコン１９は、ユーザの操作を受け付けるように構成されている。リモコン１９は、発光素子等を含み、受け付けたユーザの操作情報を、発光素子から赤外光を用いて、操作受信部１８に送信するように構成されている。
【００４１】
また、図１に示すように、著作権管理サーバ２には、制御部２１が設けられている。制御部２１は、ＣＰＵなどを含み、著作権管理サーバ２の各部に制御信号を伝達することによって著作権管理サーバ２の全体を制御するように構成されている。制御部２１は、本発明の「サーバ側制御部」の一例である。
【００４２】
また、著作権管理サーバ２には、記憶部２２が設けられている。記憶部２２は、市場に販売されているブルーレイディスク（ブルーレイディスク４を含む）の各々のディスクＩＤ（ディスクＩＤ４２を含む）が予め格納されている。また、記憶部２２は、各々のディスクＩＤに組み合わせられている（ペアリングされている）レコーダＩＤがある場合には、レコーダＩＤが格納されている。たとえば、記憶部２２は、ディスクＩＤ４２にブルーレイディスク４のレコーダＩＤ４３がペアリングされている場合には、ディスクＩＤ４２とレコーダＩＤ４３とを組み合わせて（ペアリングさせて）記憶するように構成されている。また、記憶部２２には、各々のディスクＩＤ（ブルーレイディスク４）に対応したリッピング制限回数が格納されている。たとえば、リッピング制限回数の初期の回数は、１０回と設定されており、著作権管理サーバ２の制御部２１は、ＢＤレコーダ１によりリッピング処理されるごとに１回分減らす制御を行うように構成されている。また、記憶部２２は、本発明の「サーバ側記憶部」の一例である。
【００４３】
また、著作権管理サーバ２には、通信部２３が設けられている。通信部２３は、インターネット６と通信可能に構成されている。そして、通信部２３は、インターネット６を介して、ＢＤレコーダ１およびＢＤレコーダ１ａなどとデータを送受信可能に構成されている。
【００４４】
また、図１に示すように、テレビジョン装置３には、制御部３１が設けられている。制御部３１は、ＣＰＵなどを含み、テレビジョン装置３の各部に制御信号を伝達することによってテレビジョン装置３の全体を制御するように構成されている。
【００４５】
また、テレビジョン装置３には、接続部３２が設けられている。接続部３２は、ＢＤレコーダ１とケーブルを介して接続可能に構成されている。そして、接続部３２は、映像音声および画像データ（コンテンツ４１およびコンテンツの一覧４４など）を受信可能に構成されている。
【００４６】
また、テレビジョン装置３には、表示部３３が設けられている。上記したように、表示部３３は、接続部３２を介して、受信したコンテンツ４１およびコンテンツの一覧４４（図２および図３参照）を、制御部３１の指令に基づいて、表示するように構成されている。
【００４７】
次に、図４を参照して、第１実施形態によるコンテンツ管理システム１００のリッピング処理およびリッピング制限処理フローについて説明する。ＢＤレコーダ１における処理は、制御部１１により行われる。また、著作権管理サーバ２における処理は、制御部２１により行われる。
【００４８】
まず、第１実施形態では、リッピング処理時に、ブルーレイディスク４からディスクＩＤ４２を読み出すとともに、ディスクＩＤ４２とレコーダＩＤ４３とを組み合わせて、著作権管理サーバ２に送信する情報送信制御を行う。
【００４９】
図４に示すように、ＢＤレコーダ１では、ステップＳ１において、ブルーレイディスク４からコンテンツ４１およびディスクＩＤ４２が読み出される。そして、ハードディスクドライブ１５またはメモリ５に、コンテンツ４１が記憶される。その後、ステップＳ２に進む。
【００５０】
そして、ステップＳ２において、記憶が完了したか否かが判断される。すなわち、ステップＳ１の処理が終了したか否かが判断される。記憶が完了するまでこの判断は繰り返され、記憶が完了した場合に、ステップＳ３に進む。
【００５１】
そして、ステップＳ３において、ディスクＩＤ４２とレコーダＩＤ４３とが著作権管理サーバ２に送信される。その後、ステップＳ４に進む。そして、ステップＳ４において、ディスクＩＤ４２がコンテンツＩＤ４５として記憶される。その後、ステップＳ５に進む。
【００５２】
そして、ステップＳ５において、リッピング処理が禁止されたか否かが判断される。すなわち、後述するステップＳ２０において著作権管理サーバ２からリッピング処理を禁止する信号を取得したか否かが判断される。リッピング処理を禁止する信号が取得した場合には、ステップＳ６に進み、リッピング処理を禁止する信号が取得されない場合には、ＢＤレコーダ１におけるリッピング処理およびリッピング制限処理が終了される。
【００５３】
一方、著作権管理サーバ２では、ステップＳ２０において、後述するリセット可否判断制御処理（図６参照）が行われる。その後、著作権管理サーバ２におけるリッピング処理およびリッピング制限処理フローは終了される。
【００５４】
次に、図５を参照して、第１実施形態によるコンテンツ管理システム１００のコンテンツ再生制御処理フローについて説明する。ＢＤレコーダ１における処理は、制御部１１により行われる。また、著作権管理サーバ２における処理は、制御部２１により行われる。ここで、第１実施形態では、コンテンツ管理システム１００のコンテンツ再生制御処理フロー（図５参照）は、リッピング処理およびリッピング制限処理フロー（図４参照）の後に実行される。
【００５５】
まず、図５に示すように、ステップＳ７において、ユーザの操作に基づいて、コンテンツ４１の再生の開始の操作が実行されたか否かが判断される。コンテンツ４１の再生の開始の操作が実行されるまでこの判断は繰り返され、コンテンツ４１の再生の開始の操作が実行された場合に、ステップＳ８に進む。
【００５６】
ここで、第１実施形態では、コンテンツ４１の再生が行われる毎に、コンテンツＩＤ４５（ディスクＩＤ４２と同一の内容）とレコーダＩＤ４３とが組み合わされて、ＢＤレコーダ１から著作権管理サーバ２に送信される。具体的には、ステップＳ８において、コンテンツＩＤ４５と、レコーダＩＤ４３と、著作権管理サーバ２にコンテンツ４１の再生開始の可否判断を要求するための再生開始要求信号とがＢＤレコーダ１から著作権管理サーバ２に送信される。その後、ステップＳ９に進む。
【００５７】
そして、ステップＳ９において、著作権管理サーバ２からの後述する再生開始可否信号の取得が行われ、再生開始可否信号に基づいて、コンテンツ４１の再生が許可されたか否かが判断される。コンテンツ４１の再生を許可する再生開始可否信号を取得した場合には、ステップＳ１０に進み、コンテンツ４１の再生を禁止する再生開始可否信号（再生禁止通知信号）を取得した場合には、ステップＳ１１に進む。なお、コンテンツ４１の再生を禁止する再生開始可否信号は、本発明の「再生禁止通知信号」の一例である。
【００５８】
そして、ステップＳ１０において、コンテンツ４１の再生が開始される。具体的には、ハードディスクドライブ１５からコンテンツ４１が読み出されるとともに、接続部１８を介して、テレビジョン装置３にコンテンツ４１が伝達される。そして、テレビジョン装置３により、伝達されたコンテンツ４１の映像音声が、表示部３３に表示される。その後、ＢＤレコーダ１におけるコンテンツ再生制御処理フローは終了される。
【００５９】
また、第１実施形態では、著作権管理サーバ２から、後述するコンテンツ４１の再生を禁止する再生開始可否信号を取得した場合に、再生の開始を禁止されたコンテンツ４１を削除した状態でコンテンツの一覧４４（図３参照）をＯＳＤ部１６から出力が行われる。
【００６０】
そして、ステップＳ９においてコンテンツ４１の再生が禁止された場合に進むステップＳ１１において、コンテンツの一覧４４からコンテンツ４１の内容が削除される。
【００６１】
一方、著作権管理サーバ２では、ステップＳ３０おいて、再生可否判断制御処理および再生開始可否信号の送信（図７参照）が行われる。その後、著作権管理サーバ２におけるコンテンツ再生制御処理フローは終了される。
【００６２】
次に、図６を参照して、第１実施形態によるコンテンツ管理システム１００のリセット可否判断制御処理フローについて説明する。著作権管理サーバ２における処理は、制御部２１により行われる。
【００６３】
ここで、第１実施形態における著作権管理サーバ２では、ＢＤレコーダ１から取得したディスクＩＤ４２とレコーダＩＤ４３との組み合わせが、記憶部２２に記憶されているディスクＩＤ４２とレコーダＩＤとの組み合わせと一致しない場合に、ディスクＩＤ４２に対するリッピング制限回数がリセットされる。すなわち、ＢＤレコーダ１から取得したレコーダＩＤ４３が、記憶部２２に記憶されているディスクＩＤ４２にペアリングされているレコーダＩＤと一致しない場合に、ディスクＩＤ４２に対するリッピング制限回数がリセットされる。以下、具体的に説明する。
【００６４】
まず、図６に示すように、著作権管理サーバ２では、ステップＳ２１において、ディスクＩＤ４２およびレコーダＩＤ４３の取得が行われる。すなわち、上記したステップＳ３において、ＢＤレコーダ１から送信されたディスクＩＤ４２およびレコーダＩＤ４３の取得が、インターネット６を介して行われる。その後、ステップＳ２２に進む。
【００６５】
そして、ステップＳ２２において、記憶部２２に記憶されているディスクＩＤ４２にペアリングされているレコーダＩＤがあるか否かが判断される。そして、ディスクＩＤ４２にペアリングされているレコーダＩＤがある場合には、ステップＳ２３に進む。また、ディスクＩＤ４２にペアリングされているレコーダＩＤがない場合には、ステップＳ２６に進む。たとえば、ブルーレイディスク４が、いずれのＢＤレコーダにおいてもリッピング処理されていない場合（新品の場合）には、ディスクＩＤ４２にペアリングされているレコーダＩＤは存在しない。この場合、ステップＳ２６に進む。
【００６６】
そして、ステップＳ２３において、ディスクＩＤ４２にペアリングされているレコーダＩＤが、ステップＳ２１において取得したレコーダＩＤ４３と一致するか否かが判断される。レコーダＩＤ４３と一致する場合には、ステップＳ２４に進む。たとえば、現在実行中のリセット可否判断制御処理が行われる以前に、著作権管理サーバ２がＢＤレコーダ１からディスクＩＤ４２およびレコーダＩＤ４３の情報を取得して、ディスクＩＤ４２に対して、レコーダＩＤ４３をペアリングする制御を行った場合には、ステップＳ２４に進む。
【００６７】
また、ステップＳ２３において、ディスクＩＤ４２にペアリングされているレコーダＩＤが、レコーダＩＤ４３と一致しない場合には、ステップＳ２７に進む。たとえば、現在実行中のリセット可否判断制御処理が行われる以前に、ＢＤレコーダ１ａを所有する他のユーザが、ブルーレイディスク４（ディスクＩＤ４２）に対してリッピング処理を行った場合には、ディスクＩＤ４２にＢＤレコーダ１ａのレコーダＩＤ４３ａがペアリングされている。この場合、ディスクＩＤ４２にペアリングされているレコーダＩＤ４３ａと、取得したレコーダＩＤ４３とは、一致しないので、ステップＳ２７に進む。
【００６８】
そして、ステップＳ２４において、ディスクＩＤ４２のリッピング制限回数が１回以上か否かが判断される。リッピング制限回数が１回以上の場合には、ステップＳ２５に進み、リッピング制限回数が１回以上でない（０回の）場合には、ステップＳ２８に進む。
【００６９】
そして、ステップＳ２５において、ディスクＩＤ４２のリッピング制限回数が１回分減らされる。すなわち、ステップＳ２４以前のディスクＩＤ４２のリッピング制限回数が１０回の場合には、９回に変更される。その後、著作権管理サーバ２におけるリセット可否判断制御処理が終了される。
【００７０】
また、ステップＳ２２においてディスクＩＤ４２にペアリングされているレコーダＩＤがない場合に進むステップＳ２６において、ディスクＩＤ４２にＢＤレコーダ１から取得したレコーダＩＤ４３をペアリングする。その後、ステップＳ２４に進む。
【００７１】
ここで、第１実施形態では、ＢＤレコーダ１から取得したレコーダＩＤ４３が、記憶部２２に記憶されているディスクＩＤ４２にペアリングされているレコーダＩＤと一致しない場合には、記憶部２２に記憶されているディスクＩＤ４２にペアリングされているレコーダＩＤが解除されるとともに、ＢＤレコーダ１から取得したレコーダＩＤ４３がディスクＩＤ４２にペアリングされる。
【００７２】
具体的には、ステップＳ２３においてレコーダＩＤ４３と一致しない場合に進むステップＳ２７において、ディスクＩＤ４２のリッピング制限回数がリセットされる。たとえば、ディスクＩＤ４２のリッピング制限回数が０回であった場合には、１０回に戻される。そして、記憶部２２に記憶されているディスクＩＤ４２にペアリングされているレコーダＩＤが解除される。そして、ディスクＩＤ４２に、ＢＤレコーダ１のレコーダＩＤ４３がペアリングされる。その後、ステップＳ２４に進む。
【００７３】
そして、ステップＳ２４においてリッピング制限回数が１回以上でない（０回の）場合に進むステップＳ２８において、ＢＤレコーダ１にリッピング処理を禁止する信号が送信される。その後、著作権管理サーバ２におけるリセット可否判断制御処理が終了される。
【００７４】
次に、図７を参照して、第１実施形態によるコンテンツ管理システム１００の再生可否判断制御処理フローについて説明する。著作権管理サーバ２における処理は、制御部２１により行われる。
【００７５】
ここで、第１実施形態では、コンテンツ４１の再生を行う毎に、取得したディスクＩＤ４２とレコーダＩＤ４３との組み合わせが、記憶部２２に記憶されているディスクＩＤ４２とレコーダＩＤとの組み合わせと一致しない場合に、コンテンツ４１の再生の開始を禁止することを示す再生禁止通知信号が、ＢＤレコーダ１に送信される。
【００７６】
具体的には、ステップＳ３１において、著作権管理サーバ２では、ディスクＩＤ４２とレコーダＩＤ４３と再生開始要求信号とがＢＤレコーダ１から取得される。その後、ステップＳ３２に進む。そして、ステップＳ３２において、ディスクＩＤ４２にペアリングされているレコーダＩＤが、ステップＳ３１において取得したレコーダＩＤ４３と一致するか否かが判断される。レコーダＩＤ４３と一致する場合には、ステップＳ３３に進み、レコーダＩＤ４３と一致しない場合には、ステップＳ３４に進む。
【００７７】
そして、ステップＳ３３において、コンテンツ４１の再生を許可する再生許可通知信号がＢＤレコーダ１に送信される。その後、著作権管理サーバ２における再生可否判断制御処理フローは終了される。
【００７８】
また、ステップＳ３２においてディスクＩＤ４２にペアリングされているレコーダＩＤがレコーダＩＤ４３と一致しない場合に進む、ステップＳ３４において、コンテンツ４１の再生を禁止する再生開始可否信号がＢＤレコーダ１に送信される。その後、著作権管理サーバ２における再生可否判断制御処理フローは終了される。
【００７９】
第１実施形態では、以下のような効果を得ることができる。
【００８０】
第１実施形態では、上記のように、著作権管理サーバ２の制御部２１を、ＢＤレコーダ１から取得したレコーダＩＤ４３が、記憶部２２に記憶されているディスクＩＤ４２にペアリングされているレコーダＩＤと一致しない場合には、ブルーレイディスク４（ディスクＩＤ４２）に対するリッピング制限回数をリセットするリセット可否判断制御を行うように構成する。これにより、ＢＤレコーダ１を所有するユーザから、他のＢＤレコーダ１ａを所有する他のユーザにブルーレイディスク４が譲渡された場合でも、他のユーザは、ＢＤレコーダ１ａにリッピング処理させることができる。その結果、ブルーレイディスク４を譲渡されたユーザが所有するＢＤレコーダ１によりリッピング処理を行うことができる。
【００８１】
また、第１実施形態では、上記のように、著作権管理サーバ２の制御部２１を、ＢＤレコーダ１から取得したレコーダＩＤ４３が、記憶部２２に記憶されているディスクＩＤ４２にペアリングされているレコーダＩＤと一致しない場合には、著作権管理サーバ２の記憶部２２に記憶されているディスクＩＤ４２にペアリングされているレコーダＩＤを解除して、ＢＤレコーダ１から取得したレコーダＩＤをペアリングするとともに、ブルーレイディスク４に対するリッピング制限回数をリセットするリセット可否判断制御を行うように構成する。これにより、ブルーレイディスク４を所有するユーザが代わった場合に、新たなユーザはリッピング処理を制限回数分行うことができる。
【００８２】
また、第１実施形態では、上記のように、ＢＤレコーダ１の制御部１１を、リッピング処理およびリッピング制限処理（図４参照）を行った後、コンテンツ４１の再生を行う毎に、ディスクＩＤ４２とレコーダＩＤ４３とを組み合わせて、著作権管理サーバ２に送信するように構成する。また、著作権管理サーバ２の制御部２１を、コンテンツ４１の再生を行う毎に、ＢＤレコーダ１から取得したレコーダＩＤ４３が、記憶部２２に記憶されているディスクＩＤ４２にペアリングされているレコーダＩＤと一致しない場合には、コンテンツ４１の再生の開始を禁止することを示す再生禁止通知信号を、ＢＤレコーダ１に送信する制御を行うように構成する。これにより、著作権管理サーバ２の記憶部２２に記憶されているディスクＩＤ４２にペアリングされているレコーダＩＤに対応するＢＤレコーダ以外によりコンテンツ４１が再生されることを抑制することができる。その結果、許容されたＢＤレコーダ以外が上記コンテンツ４１を再生することが可能な状態となるのを抑制することができる。
【００８３】
また、第１実施形態では、上記のように、ＢＤレコーダ１を、ＢＤレコーダ１のハードディスクドライブ１５に格納されているコンテンツの一覧４４（図２参照）を出力可能なＯＳＤ部１６を含むように構成する。また、ＢＤレコーダ１の制御部１１を、著作権管理サーバ２から、再生禁止通知信号を取得した場合に、再生の開始を禁止されたコンテンツ４１（図２の符号Ａ）を削除した状態でコンテンツの一覧４４（図３参照）をＯＳＤ部１６に出力させる制御を行うように構成する。これにより、再生可能なコンテンツを容易にユーザに視認させることができる。
【００８４】
（第２実施形態）
次に、図１を参照して、第２実施形態によるコンテンツ管理システム２００の構成について説明する。第２実施形態では、リッピング処理時に情報送信制御を実行するように構成されていた第１実施形態によるコンテンツ管理システム１００と異なり、リッピング処理時には情報送信制御を行わずに、リッピング処理を行った後、コンテンツの再生を初めて開始する際に、ディスクＩＤとレコーダＩＤとを組み合わせて、著作権管理サーバに送信する情報送信制御を行うように構成されている。
【００８５】
図１に示すように、第２実施形態によるコンテンツ管理システム２００は、ＢＤレコーダ２０１と、著作権管理サーバ２０２とを含む。そして、ＢＤレコーダ２０１は、制御部２１１を含み、著作権管理サーバ２０２は、制御部２２１を含む。また、第２実施形態によるコンテンツ管理システム２００のその他の構成は、第１実施形態におけるコンテンツ管理システム１００と同様である。
【００８６】
次に、図８を参照して、第２実施形態によるコンテンツ管理システム２００のリッピング処理およびコンテンツ再生制御処理フローについて説明する。ＢＤレコーダ２０１における処理は、制御部２１１により行われる。また、著作権管理サーバ２０２における処理は、制御部２２１により行われる。
【００８７】
ここで、第２実施形態では、第１実施形態によるコンテンツ管理システム１００のように（図３参照）リッピング処理時には情報送信制御を行われずに、図８に示すように、リッピング処理を行った後に、コンテンツ４１の再生を初めて開始する際に、ＢＤレコーダ２０１により、ディスクＩＤ４２とレコーダＩＤ４３とを組み合わせて、著作権管理サーバ２０２に送信する情報送信制御が行われる。
【００８８】
具体的には、図８に示すように、ＢＤレコーダ２０１では、ステップＳ１およびＳ２においては、第１実施形態のリッピング処理およびリッピング制限処理おけるステップＳ１およびＳ２と同様の処理が行われる。ステップＳ２の後、第２実施形態では、ステップＳ４に進む。すなわち、リッピング処理時には情報送信制御を行われない。そして、ステップＳ４は、第１実施形態のＢＤレコーダ１によるステップＳ４と同様の処理が行われる。その後、ステップＳ１０１に進む。
【００８９】
そして、ステップＳ１０１において、ユーザの操作により、コンテンツ４１の再生を開始するための操作を受け付けたか否かが判断される。再生を開始するための操作を受け付けるまでこの判断は繰り返され、再生を開始するための操作を受け付けた場合には、ステップＳ１０２に進む。
【００９０】
そして、ステップＳ１０２において、コンテンツＩＤ４５と、レコーダＩＤ４３と、コンテンツ４１をリッピング処理後に初めて再生することを示す初回再生通知信号と、再生要求信号とが著作権管理サーバ２０２に送信される。その後、ステップＳ１０３に進む。
【００９１】
そして、ステップＳ１０３においては、著作権管理サーバ２０２からリッピング処理を禁止する信号が取得された否かが判断される。リッピング処理を禁止する信号が取得された場合には、ステップＳ１０６に進み、リッピング処理を禁止する信号が取得されない場合には、ステップＳ１０４に進む。
【００９２】
そして、ステップＳ１０４においては、コンテンツ４１の再生が許可されたか否かが判断される。すなわち、後述する著作権管理サーバ２０２におけるステップＳ３０において、コンテンツ４１の再生を禁止する再生開始可否信号を取得したか否かが判断される。コンテンツ４１の再生を禁止する信号を取得して、コンテンツ４１の再生が許可されない場合には、ステップＳ１０６に進み、リッピング処理を禁止する信号を取得せずに、コンテンツ４１の再生が許可された場合には、ステップＳ１０５に進む。
【００９３】
そして、ステップＳ１０５においては、コンテンツ４１の再生が開始される。その後、ＢＤレコーダ２０１におけるリッピング処理およびコンテンツ再生制御処理が終了される。
【００９４】
ここで、第２実施形態では、著作権管理サーバ２０２から、コンテンツ４１の再生を禁止する再生開始可否信号（再生禁止通知信号）を取得した場合には、記憶部２２に記憶されているコンテンツ４１が削除される。
【００９５】
具体的には、ステップＳ１０３においてリッピング処理が禁止された場合またはステップＳ１０４においてコンテンツ４１の再生を禁止する再生開始可否信号を取得した場合に進むステップＳ１０６において、ハードディスクドライブ１５に記憶されたコンテンツ４１が削除される。その後、ＢＤレコーダ２０１におけるリッピング処理およびコンテンツ再生制御処理が終了される。
【００９６】
一方、著作権管理サーバ２０２では、ステップＳ１２０において、リセット可否判断制御およびリッピング制限通知（図９参照）が行われる。その後、ステップＳ３０に進む。そして、ステップＳ３０は、第１実施形態の著作権管理サーバ２における再生可否判断制御処理（図７参照）と同様の処理が行われる。その後、著作権管理サーバ２０２におけるリッピング処理およびコンテンツ再生制御処理が終了される。
【００９７】
次に、図９を参照して、第２実施形態によるコンテンツ管理システム２００のリセット可否判断制御処理フローについて説明する。なお、著作権管理サーバ２０２における処理は、制御部２２１により行われる。
【００９８】
まず、図９に示すように、ステップＳ１２１においては、コンテンツＩＤ４５（ディスクＩＤ４２の同一の情報）と、レコーダＩＤ４３と、再生開始要求信号と、初回再生通知信号との取得が行われる。すなわち、上記したＢＤレコーダ２０１のステップＳ１０２において送信された信号の取得が行われる。なお、ＢＤレコーダ２０１のステップＳ１０２において送信された信号のうち初回再生通知信号が含まれていない場合には、初回再生通知信号は取得されない。その後、ステップＳ１２２に進む。
【００９９】
そして、ステップＳ１２２において、初回再生通知信号を取得したか否かが判断される。すなわち、ステップＳ１２１において、ＢＤレコーダ２０１から取得した信号のうち初回再生通知信号が含まれていたか否かが判断される。初回再生通知信号を取得した場合、ステップＳ２２進み、初回再生通知信号を取得しない場合には、著作権管理サーバ２０２におけるリセット可否判断制御処理フローは終了される。
【０１００】
そして、ステップＳ２２〜Ｓ２８においては、第１実施形態によるコンテンツ管理システム１００のリセット可否判断制御処理フロー（図６参照）のステップＳ２２〜Ｓ２８と同様の処理が行われる。
【０１０１】
第２実施形態では、以下のような効果を得ることができる。
【０１０２】
第２実施形態では、上記のように、ＢＤレコーダ２０１の制御部２１１を、著作権管理サーバ２０２から、コンテンツ４１の再生を禁止する再生開始可否信号（再生禁止通知信号）を取得した場合に、ＢＤレコーダ２０１のハードディスクドライブ１５に記憶されているコンテンツ４１を削除する制御を行うように構成する。これにより、著作権管理サーバ２０２の記憶部２２に記憶されているディスクＩＤ４２とレコーダＩＤとの組み合わせに対応するＢＤレコーダ以外のＢＤレコーダにより、コンテンツ４１が再生されるのを確実に抑制することができる。
【０１０３】
また、第２実施形態では、上記のように、ＢＤレコーダ２０１の制御部２１１を、リッピング処理時には情報送信制御を行わずに、リッピング処理を行った後、コンテンツ４１の再生を初めて開始する際に、ディスクＩＤ４２とレコーダＩＤ４３とを、著作権管理サーバ２０２に送信する情報送信制御を行うように構成する。また、著作権管理サーバ２０２の制御部２２１を、ディスクＩＤ４２とレコーダＩＤ４３とを取得して、リセット可否判断制御を行うように構成する。これにより、リッピング処理時には情報送信制御が行われないので、情報送信制御が行われない分、リッピング処理の際に要する時間を短縮することができる。また、第２実施形態によるコンテンツ管理システム２００のその他の効果は、第１実施形態におけるコンテンツ管理システム１００と同様である。
【０１０４】
（第３実施形態）
次に、図１を参照して、第３実施形態によるコンテンツ管理システム３００の構成について説明する。第３実施形態では、ユーザの操作に基づいて、著作権管理サーバの記憶部に記憶されているディスクＩＤとレコーダＩＤとのペアリングを解除するための解除要求信号を、著作権管理サーバに送信する制御を行うように構成されている。また、著作権管理サーバの制御部は、取得した解除要求信号に応じて、ディスクＩＤとレコーダＩＤとの組み合わせを解除する制御を行うように構成されている。
【０１０５】
図１に示すように、第３実施形態によるコンテンツ管理システム３００は、ＢＤレコーダ３０１と、ＢＤレコーダ３０１ａと、著作権管理サーバ３０２とを含む。そして、ＢＤレコーダ３０１は、制御部３１１とハードディスクドライブ３１５とを含み、著作権管理サーバ３０２は、制御部３２１を含む。なお、ＢＤレコーダ３０１ａは、レコーダＩＤ４３ａを含み、ＢＤレコーダ３０１ａのその他の構成はＢＤレコーダ３０１と同様に構成されている。たとえば、第３実施形態によるＢＤレコーダ３０１とＢＤレコーダ３０１ａとは、同一のユーザにより所有されている。
【０１０６】
ここで、第３実施形態では、ＢＤレコーダ３０１の制御部３１１は、ユーザの操作に基づいて、著作権管理サーバ３０２の記憶部２２に記憶されているディスクＩＤ４２とレコーダＩＤ４３とのペアリングを解除するための解除要求信号を、著作権管理サーバ３０２に送信する制御を行うように構成されている。そして、著作権管理サーバ３０２の制御部３２１は、取得した解除要求信号に応じて、ディスクＩＤ４２とレコーダＩＤ４３とのペアリングを解除する制御を行うように構成されている。
【０１０７】
また、第３実施形態では、ＢＤレコーダ３０１の制御部３１１は、リッピング処理回数をＢＤレコーダ３０１のハードディスクドライブ３１５に記憶する制御を行うように構成されている。具体的には、制御部３１１は、ブルーレイディスク４からリッピング処理を行った回数を、ブルーレイディスク４のディスクＩＤ４２に組み合わせて、ハードディスクドライブ３１５に記憶するように構成されている。
【０１０８】
また、他のＢＤレコーダ３０１ａのディスクＩＤ４２とレコーダＩＤ４３ａとがペアリングされ、ＢＤレコーダ３０１のディスクＩＤ４２とレコーダＩＤ４３とのペアリングが解除される。そして、ＢＤレコーダ３０１ａから解除要求信号が著作権管理サーバ３０２に送信され、ディスクＩＤ４２とレコーダＩＤ４３ａとのペアリングが解除される。この場合、ＢＤレコーダ３０１の制御部３１１は、コンテンツ４１を再生する際には、ハードディスクドライブ３１５からリッピング処理回数を読み出して、著作権管理サーバ３０２に送信する制御を行うように構成されている。
【０１０９】
そして、著作権管理サーバ３０２の制御部３２１は、ＢＤレコーダ３０１から送信されたリッピング処理回数を取得する制御を行うように構成されている。そして制御部３２１は、著作権管理サーバ３０２の記憶部２２に格納されているリッピング制限回数から取得したリッピング処理回数分減らして記憶する制御を行うように構成されている。すなわち、ＢＤレコーダ３０１のリッピング制限回数は、他のＢＤレコーダ３０１ａのディスクＩＤ４２とレコーダＩＤ４３ａとがペアリングされることによって、ＢＤレコーダ３０１のディスクＩＤ４２とレコーダＩＤ４３とのペアリングが解除された時点の回数から再開される。
【０１１０】
これにより、２つのＢＤレコーダによりペアリングを解除することを繰り返すことによって、リッピング制限回数のリセットが繰り返され、１つのＢＤレコーダに対して、リッピング制限回数以上のリッピング処理が行われるのを抑制することが可能になる。また、第３実施形態によるコンテンツ管理システム３００のその他の構成は、第１実施形態におけるコンテンツ管理システム１００と同様である。
【０１１１】
次に、図１０を参照して、第３実施形態によるコンテンツ管理システム３００のペアリング処理回数の管理およびペアリング解除処理フローについて説明する。ＢＤレコーダ３０１における処理は、制御部３１１により行われる。また、著作権管理サーバ３０２における処理は、制御部３２１により行われる。
【０１１２】
まず、図１０に示すように、ＢＤレコーダ３０１では、ステップＳ３０１において、リッピング処理およびリッピング制限処理が実行される。ステップＳ３０１のリッピング処理およびリッピング制限処理は、第１実施形態におけるＢＤレコーダ１のリッピング処理およびリッピング制限処理（図４参照）と同様の処理が行われる。その後、ステップＳ３０２に進む。
【０１１３】
そして、ステップＳ３０２において、ディスクＩＤ４２がコンテンツＩＤ４５としてＢＤレコーダ３０１のハードディスクドライブ３１５に記憶されるとともに、ハードディスクドライブ３１５に記憶されるリッピング処理回数を１回分増加される。その後、ステップＳ３０３に進む。
【０１１４】
そして、ステップＳ３０３において、ユーザの操作に基づいて、ディスクＩＤ４２とレコーダＩＤ４３とのペアリングを解除要求するための操作が受け付けられたか否かが判断される。解除要求するための操作が受け付けられた場合には、ステップＳ３０４に進み、解除要求するための操作が受け付けられなかった場合には、ＢＤレコーダ３０１におけるペアリング処理回数の管理およびペアリング解除処理フローが終了される。
【０１１５】
そして、ステップＳ３０４において、ペアリングの解除要求信号が著作権管理サーバ３０２に送信される。その後、ＢＤレコーダ３０１におけるペアリング解除制御処理フローが終了される。
【０１１６】
一方、著作権管理サーバ３０２では、ステップＳ３１０において、リッピング処理およびリッピング制限処理が実行される。ステップＳ３１０のリッピング処理およびリッピング制限処理は、第１実施形態における著作権管理サーバ２におけるリッピング処理およびリッピング制限処理（図４参照）と同様の処理が行われる。その後、ステップＳ３１１に進む。
【０１１７】
そして、ステップＳ３１１において、ペアリングの解除要求信号がＢＤレコーダ３０１から取得したか否かが判断される。解除要求信号が取得された場合には、ステップＳ３１２に進み、解除要求信号が取得されない場合には、著作権管理サーバ３０２におけるペアリング処理回数の管理およびペアリング解除処理フローが終了される。
【０１１８】
そして、ステップＳ３１２において、ペアリングの解除が行われる。その後、著作権管理サーバ３０２におけるペアリング処理回数の管理およびペアリング解除処理フローが終了される。
【０１１９】
次に、図１１を参照して、第３実施形態によるコンテンツ管理システム３００のコンテンツ再生制御処理について説明する。ＢＤレコーダ３０１における処理は、制御部３１１により行われる。また、著作権管理サーバ３０２における処理は、制御部３２１により行われる。
【０１２０】
まず、図１１に示すように、ＢＤレコーダ３０１では、ステップＳ３０６において、コンテンツ４１の再生の開始するための操作が受け付けたか否かが判断される。コンテンツ４１の再生の開始するための操作が受け付けるまでこの判断は繰り返され、コンテンツ４１の再生の開始するための操作が受け付けた場合には、ステップＳ３０７に進む。
【０１２１】
そして、ステップＳ３０７において、コンテンツＩＤ４５（ディスクＩＤ４２と同一の情報）とレコーダＩＤ４３と、リッピング処理回数と、再生開始要求信号とが著作権管理サーバ３０２に送信される。その後、ステップＳ３０８に進む。
【０１２２】
そして、ステップＳ３０８において、コンテンツ４１の再生が許可されたか否かが判断される。コンテンツ４１の再生が許可された場合には、ステップＳ３０９に進み、コンテンツ４１の再生が許可されない場合には、ＢＤレコーダ３０１におけるコンテンツ再生制御処理が終了される。
【０１２３】
そして、ステップＳ３０９において、コンテンツ４１の再生が開始される。その後、ＢＤレコーダ３０１におけるコンテンツ再生制御処理が終了される。
【０１２４】
一方、著作権管理サーバ３０２では、ステップＳ３２０において、再生開始可否判断処理および再生開始可否信号の送信の処理（図１２参照）が行われる。その後、著作権管理サーバ３０２におけるコンテンツ再生制御処理が終了される。
【０１２５】
次に、図１２を参照して、第３実施形態によるコンテンツ管理システム３００の再生可否判断制御処理フローについて説明する。なお、著作権管理サーバ３０２における処理は、制御部３２１により行われる。
【０１２６】
まず、図１２に示すように、ステップＳ３２１において、コンテンツＩＤ４５（ディスクＩＤ４２と同一の情報）とレコーダＩＤ４３と、リッピング処理回数と、再生開始要求信号とが取得される。その後、ステップＳ３２２に進む。そして、ステップＳ３２２において、取得したディスクＩＤ４２にペアリングされているレコーダＩＤがあるか否かが判断される。ディスクＩＤ４２にペアリングされているレコーダＩＤがある場合には、ステップＳ３２３に進み、ディスクＩＤ４２にペアリングされているレコーダＩＤがない場合には、ステップＳ３２６に進む。
【０１２７】
そして、ステップＳ３２３において、ディスクＩＤ４２にペアリングされているレコーダＩＤは、取得したレコーダＩＤ４３と同一か否かが判断される。ディスクＩＤ４２にペアリングされているレコーダＩＤと取得したレコーダＩＤ４３とが同一の場合には、ステップＳ３２４に進み、ディスクＩＤ４２にペアリングされているレコーダＩＤと取得したレコーダＩＤ４３と同一でない場合には、ステップＳ３２７に進む。
【０１２８】
そして、ステップＳ３２４において、記憶部に記憶されているリッピング制限回数から取得したリッピング処理回数分が減らされる。その後、ステップＳ３２５に進む。そして、ステップＳ３２５において、コンテンツ４１の再生を許可する再生開始可否信号がＢＤレコーダ３０１に送信される。その後、著作権管理サーバ３０２における再生可否判断制御処理フローは終了される。
【０１２９】
また、ステップＳ３２２においてディスクＩＤ４２にペアリングされているレコーダＩＤがない場合に進むステップＳ３２６において、ディスクＩＤ４２に取得したレコーダＩＤ４３がペアリングされる。その後、ステップＳ３２４に進む。
【０１３０】
また、ステップＳ３２３においてディスクＩＤ４２にペアリングされているレコーダＩＤと取得したレコーダＩＤ４３と同一でない場合に進むステップＳ３２７において、コンテンツの再生を禁止する再生開始可否信号がＢＤレコーダ３０１に送信される。その後、著作権管理サーバ３０２における再生可否判断制御処理フローは終了される。
【０１３１】
次に、図１０〜図１２を参照して、第３実施形態によるコンテンツ管理システム３００のペアリング解除処理の具体例について説明する。
【０１３２】
図１０に示すように、ブルーレイディスク４のリッピング制限回数の初期の回数が１０回の場合に、ユーザが、上記ステップＳ３０１およびＳ３０２の処理（リッピング処理）をＢＤレコーダ３０１に実行させる。そして、ユーザは、ＢＤレコーダ３０１に対して、解除要求するための操作をせずに、３回リッピング処理をさせた場合には、ＢＤレコーダ３０１のハードディスクドライブ３１５には、リッピング処理回数が３回として記憶される。この場合、著作権管理サーバ３０２の記憶部２２では、ディスクＩＤ４２とレコーダＩＤ４３とがペアリングされて記憶されている。
【０１３３】
次に、ユーザが、上記ステップＳ３０１およびＳ３０２の処理（リッピング処理）をＢＤレコーダ３０１ａに実行させることによって、著作権管理サーバ３０２の記憶部２２に記憶されているディスクＩＤ４２とレコーダＩＤ４３とのペアリングが解除され、ディスクＩＤ４２とＢＤレコーダ３０１ａのレコーダＩＤ４３ａとがペアリングされる。この場合、ディスクＩＤ４２のリッピング制限回数はリセットされ１０回となる。その後に、たとえば、ユーザがＢＤレコーダ３０１によりコンテンツ４１を再生させる必要が生じた場合に、解除要求するための操作を行う。そして、著作権管理サーバ３０２によって、ディスクＩＤ４２とレコーダＩＤ４３ａとのペアリングは解除される。
【０１３４】
その後、ユーザが、コンテンツ４１の再生を開始するための操作を行った場合には、ＢＤレコーダ３０１から著作権管理サーバ３０２に再生開始要求信号とペアリング処理回数が送信される。図１０および図１１に示すように、著作権管理サーバ３０２により再びディスクＩＤ４２にレコーダＩＤ４３がペアリングされる。この時、図１２に示すように、著作権管理サーバ３０２では、リッピング制限回数がリセットされ、１０回となる一方、著作権管理サーバ３０２では、リッピング制限回数は、ＢＤレコーダ３０１から取得したリッピング処理回数（３回）分、減らさせるので、７回となる。これにより、ユーザの必要性に応じて、著作権管理サーバ３０２の記憶部２２に記憶されているディスクＩＤ４２とレコーダＩＤ４３とのペアリングを解除することができるとともに、ＢＤレコーダ３０１がリッピング制限回数の初期の回数の１０回を超えてリッピング処理されることを抑制することができる。
【０１３５】
第３実施形態では、以下のような効果を得ることができる。
【０１３６】
第３実施形態では、上記のように、ＢＤレコーダ３０１の制御部３１１を、ユーザの操作に基づいて、著作権管理サーバ３０２の記憶部２２に記憶されているディスクＩＤ４２とレコーダＩＤ４３との組み合わせを解除するための解除要求信号を、著作権管理サーバ３０２に送信する制御を行うように構成する。また、著作権管理サーバ３０２の制御部３２１を、取得した解除要求信号に応じて、ディスクＩＤ４２とレコーダＩＤ４３との組み合わせを解除する制御を行うように構成する。これにより、ユーザの必要性に応じて、著作権管理サーバ３０２の記憶部２２に記憶されているディスクＩＤ４２とレコーダＩＤ４３とのペアリングを解除することができる。また、第３実施形態によるコンテンツ管理システム３００のその他の効果は、第１実施形態におけるコンテンツ管理システム１００と同様である。
【０１３７】
（第４実施形態）
次に、図１および図１３を参照して、第４実施形態によるコンテンツ管理システム４００の構成について説明する。第４実施形態では、ＢＤレコーダの制御部は、情報送信制御を行う際に、ディスクＩＤとレコーダＩＤとに加えて、レコーダＩＤが、著作権管理サーバの記憶部に記憶されているディスクＩＤにペアリングされているレコーダＩＤと一致するか否かを示す比較結果を要求するための比較結果要求信号を、著作権管理サーバに送信する制御を行うように構成されている。
【０１３８】
図１に示すように、第４実施形態によるコンテンツ管理システム４００は、ＢＤレコーダ４０１と、著作権管理サーバ４０２とを含む。そして、ＢＤレコーダ４０１は、制御部４１１を含み、著作権管理サーバ４０２は、制御部４２１を含む。
【０１３９】
ここで、第４実施形態では、ＢＤレコーダ４０１の制御部４１１は、情報送信制御を行う際に、ディスクＩＤ４２とレコーダＩＤ４３とに加えて、レコーダＩＤ４３が、著作権管理サーバ４０２の記憶部２２に記憶されているディスクＩＤ４２にペアリングされているレコーダＩＤと一致するか否かを示す比較結果を要求するための比較結果要求信号を、著作権管理サーバ４０２に送信する制御を行うように構成されている。そして、著作権管理サーバ４０２の制御部４２１は、比較結果要求信号を取得して、比較結果を、ＢＤレコーダ４０１に送信する制御を行うように構成されている。
【０１４０】
そして、図１３に示すように、ＢＤレコーダ４０１の制御部４１１は、著作権管理サーバ４０２から比較結果を取得して、取得した比較結果に基づいて、リッピング処理を実行するか否かをユーザに問い合わせる表示を、ＯＳＤ部１６を介して、テレビジョン装置３の表示部３３に表示させる制御を行うように構成されている。たとえば、ユーザに問い合わせる表示は、「他の装置がペアリングされています。他の装置のペアリングを解除して、リッピング処理を開始しますか？」などの表示とともに、「はい」および「いいえ」などの操作部表示が表示されるように構成されている。また、第４実施形態によるコンテンツ管理システム４００のその他の構成は、第１実施形態におけるコンテンツ管理システム１００と同様である。
【０１４１】
次に、図１４を参照して、第４実施形態によるコンテンツ管理システム４００のペアリング比較制御処理フローについて説明する。なお、ＢＤレコーダ４０１の処理は、制御部４１１により行われる。また、著作権管理サーバ４０２における処理は、制御部４２１により行われる。
【０１４２】
まず、図１４に示すように、ＢＤレコーダ４０１では、ステップＳ４０１において、リッピング処理を開始するための操作を受け付けたか否かが判断される。リッピング処理を開始するための操作を受け付けるまでこの判断は繰り返され、リッピング処理を開始するための操作を受け付けた場合には、ステップＳ４０２に進む。
【０１４３】
そして、ステップＳ４０２において、ディスクＩＤ４２およびレコーダＩＤ４３が著作権管理サーバ４０２に送信される。その後、ステップＳ４０３に進む。そして、ステップＳ４０３において、著作権管理サーバ４０２から比較結果を取得して、取得した比較結果に基づいて、レコーダＩＤ４３とは異なるディスクＩＤ４２にペアリングされているレコーダＩＤがあるか否かが判断される。レコーダＩＤ４３とは異なるディスクＩＤ４２にペアリングされているレコーダＩＤがある場合、ステップＳ４０４に進み、レコーダＩＤ４３とは異なるディスクＩＤ４２にペアリングされているレコーダＩＤがない場合には、ステップＳ１に進む。
【０１４４】
そして、ステップＳ４０４において、リッピング処理を実行するか否かを問い合わせる表示（図１３参照）がＯＳＤ部１６からテレビジョン装置３に出力され、表示部３３に表示される。その後、ステップＳ４０５に進む。
【０１４５】
そして、ステップＳ４０５において、ユーザの操作によりリッピング処理を実行するための操作を受け付けたか否かが判断される。リッピング処理を実行するための操作を受け付けた場合には、ステップＳ１に進み、リッピング処理を実行するための操作を受け付けられなかった場合には、ＢＤレコーダ４０１におけるペアリング選択制御処理フローは終了される。
【０１４６】
そして、ステップＳ１〜Ｓ４においては、第１実施形態のＢＤレコーダ１によるリッピング処理およびリッピング制限処理フローのステップＳ１〜Ｓ４と同様の処理が実行される。その後、ＢＤレコーダ４０１におけるペアリング選択制御処理フローは終了される。
【０１４７】
一方、著作権管理サーバ４０２では、ステップＳ４１１において、ディスクＩＤ４２にペアリングされているディスクＩＤがあるか否かが判断される。ディスクＩＤ４２にペアリングされているディスクＩＤがある場合には、ステップＳ４１２に進み、ディスクＩＤ４２にペアリングされているディスクＩＤがない場合には、ステップＳ４１４に進む。
【０１４８】
そして、ステップＳ４１２において、ディスクＩＤ４２にペアリングされているディスクＩＤと、ＢＤレコーダ４０１から取得したディクスＩＤ４２とが一致するか否かが判断される。ディスクＩＤ４２にペアリングされているディスクＩＤと、ＢＤレコーダ４０１から取得したディクスＩＤ４２とが一致する場合、ステップＳ４１４に進み、ディスクＩＤ４２にペアリングされているディスクＩＤと、ＢＤレコーダ４０１から取得したディクスＩＤ４２とが一致しない場合、ステップＳ４１３に進む。
【０１４９】
そして、ステップＳ４１３において、ペアリングされている他の装置があることを示す比較結果がＢＤレコーダ４０１に送信される。その後、ステップＳ２０に進む。
【０１５０】
そして、ステップＳ４１１においてディスクＩＤ４２にペアリングされているディスクＩＤがない場合、または、ステップＳ４１２においてＢＤレコーダ４０１から取得したディクスＩＤ４２が一致する場合に進む、ステップＳ４１４において、ペアリングされている他の装置がないことを示す比較結果がＢＤレコーダ４０１に送信される。その後、ステップＳ２０に進む。
【０１５１】
そして、ステップＳ２０においては、第１実施形態の著作権管理サーバ２におけるリセット可否判断制御処理（図６参照）と同様の処理が行われる。その後、著作権管理サーバ４０２におけるペアリング比較制御処理フローは終了される。
【０１５２】
第４実施形態では、以下のような効果を得ることができる。
【０１５３】
第４実施形態では、上記のように、ＢＤレコーダ４０１の制御部４１１を、情報送信制御を行う際に、ディスクＩＤ４２とレコーダＩＤ４３とに加えて、レコーダＩＤ４３が、著作権管理サーバ４０２の記憶部２２に記憶されているディスクＩＤ４２にペアリングされているレコーダＩＤと一致するか否かを示す比較結果を要求するための比較結果要求信号を、著作権管理サーバ４０２に送信する制御を行うように構成する。また、著作権管理サーバ４０２の制御部４２１を、比較結果要求信号を取得して、比較結果を、ＢＤレコーダ４０１に送信する制御を行うように構成する。これにより、ユーザの所有するディスクＩＤ４２にレコーダＩＤ４３がペアリングされているか否かをＢＤレコーダ４０１側において容易に確認することができる。また、第４実施形態によるコンテンツ管理システム４００のその他の効果は、第１実施形態におけるコンテンツ管理システム１００と同様である。
【０１５４】
（第５実施形態）
次に、図１を参照して、第５実施形態によるコンテンツ管理システム５００の構成について説明する。第５実施形態では、ディスクＩＤに対して１つのレコーダＩＤがペアリングされるように構成されていた第１実施形態によるコンテンツ管理システム１００と異なり、ディスクＩＤに対して複数のレコーダＩＤがペアリングされるように構成されている。
【０１５５】
図１に示すように、第５実施形態によるコンテンツ管理システム５００は、ＢＤレコーダ５０１と、著作権管理サーバ５０２とを含む。そして、ＢＤレコーダ５０１は、制御部５１１を含み、著作権管理サーバ５０２は、制御部５２１を含む。
【０１５６】
ここで、第５実施形態では、著作権管理サーバ５０２の制御部５１１は、１つのディスクＩＤ４２に対して、複数のレコーダＩＤをペアリングすることが可能に構成されている。また、著作権管理サーバ５０２の記憶部２２に記憶されているディスクＩＤ４２に組み合わせられているレコーダＩＤの数が所定の複数の許容数を超えた場合に、ブルーレイディスク４に対するリッピング制限回数をリセットするリセット可否判断制御を行うように構成されている。また、第５実施形態によるコンテンツ管理システム５００のその他の構成は、第１実施形態におけるコンテンツ管理システム１００と同様である。
【０１５７】
次に、図１５を参照して、第５実施形態によるコンテンツ管理システム５００のリセット可否判断制御処理フローについて説明する。なお、著作権管理サーバ５０２における処理は、制御部５２１により行われる。
【０１５８】
まず、図１５に示すように、ステップＳ２１およびＳ２２は、第１実施形態によるリセット可否判断制御処理（図６参照）におけるステップＳ２１およびＳ２２と同様の処理が行われる。ここで、第５実施形態では、ステップＳ２２において、ディスクＩＤ４２にペアリングされているレコーダＩＤがある場合には、ステップＳ５０１に進み、ディスクＩＤ４２にペアリングされているレコーダＩＤがない場合には、ステップＳ５０４に進む。
【０１５９】
そして、ステップＳ５０１において、ディスクＩＤ４２にペアリングされているレコーダＩＤと、ＢＤレコーダ５０１から取得したレコーダＩＤ４３とが同一か否かが判断される。ディスクＩＤ４２にペアリングされているレコーダＩＤと、ＢＤレコーダ４０１から取得したレコーダＩＤ４３とが同一の場合には、ステップＳ２４に進み、ディスクＩＤ４２にペアリングされているレコーダＩＤと、ＢＤレコーダ４０１から取得したレコーダＩＤ４３とが同一でない場合には、ステップＳ５０２に進む。
【０１６０】
ここで、第５実施形態では、ステップＳ５０２において、ディスクＩＤ４２にペアリングされているレコーダＩＤの数が許容数（たとえば、５台）未満か否かが判断される。ディスクＩＤ４２にペアリングされているレコーダＩＤの数が許容数未満の場合、ステップＳ５０３に進み、ディスクＩＤ４２にペアリングされているレコーダＩＤの数が許容数に達している場合、ステップＳ５０４に進む。
【０１６１】
そして、ステップＳ５０３において、ブルーレイディスク４のリッピング制限回数をリセット（たとえば、１０回に戻す）するとともに、ディスクＩＤ４２とレコーダＩＤのペアリングを全て解除して、取得したレコーダＩＤ４３がディスクＩＤ４２にペアリングされる。その後、ステップＳ２４に進む。
【０１６２】
そして、ステップＳ５０３においてディスクＩＤ４２にペアリングされているレコーダＩＤの数が許容数未満の場合に進むステップＳ５０４において、取得したレコーダＩＤ４３がディスクＩＤ４２にペアリングされる。その後、ステップＳ２４に進む。
【０１６３】
そして、ステップＳ２４、ステップＳ２５およびＳ２８においては、第１実施形態におけるリセット可否判断制御処理（図６参照）におけるステップＳ２４、ステップＳ２５およびＳ２８と同様の処理が行われる。その後、著作権管理サーバ５０２におけるリセット可否判断制御処理フローが終了される。
【０１６４】
第５実施形態では、以下のような効果を得ることができる。
【０１６５】
第５実施形態では、上記のように、著作権管理サーバ５０２の制御部５１１を、１つのディスクＩＤ４２に対して、複数のレコーダＩＤをペアリングすることが可能に構成するとともに、著作権管理サーバ５０２の記憶部２２に記憶されているディスクＩＤ４２に組み合わせられているレコーダＩＤの数が所定の複数の許容数を超えた場合に、ブルーレイディスク４に対するリッピング制限回数をリセットするリセット可否判断制御を行うように構成する。これにより、複数のＢＤレコーダ５０１をユーザが所有する場合でも、許容数以下の複数のＢＤレコーダ５０１において、リッピング処理を行うことができるとともに、許容数以下の複数のＢＤレコーダ５０１のうちのいずれでもコンテンツ４１を再生することができる。また、ブルーレイディスク４が他のユーザに譲渡されて著作権管理サーバ５０２の記憶部２２に記憶されているディスクＩＤ４２に組み合わせられているレコーダＩＤの数が所定の複数の許容数を超えた場合でも、他のユーザは、リッピング処理およびコンテンツの再生を行うことができる。また、第５実施形態によるコンテンツ管理システム５００のその他の効果は、第１実施形態におけるコンテンツ管理システム１００と同様である。
【０１６６】
（第６実施形態）
次に、図１および図１６を参照して、第６実施形態によるコンテンツ管理システム６００の構成について説明する。第６実施形態では、ディスクＩＤに対して複数のレコーダＩＤがペアリングされるように構成されているとともに、ディスクＩＤに対してペアリングされるレコーダＩＤを、ＢＤレコーダのユーザの操作に基づいて、選択可能に構成されている。
【０１６７】
図１に示すように、第６実施形態によるコンテンツ管理システム６００は、ＢＤレコーダ６０１と、著作権管理サーバ６０２とを含む。そして、ＢＤレコーダ６０１は、制御部６１１を含み、著作権管理サーバ６０２は、制御部６２１を含む。
【０１６８】
ここで、第６実施形態では、著作権管理サーバ６０２の制御部６１１は、１つのディスクＩＤ４２に対して、複数のレコーダＩＤをペアリングすることが可能に構成されている。また、著作権管理サーバ６０２の記憶部２２に記憶されているディスクＩＤ４２にペアリングされているレコーダＩＤの数が所定の複数の許容数（たとえば、５台）に達した場合に、ディスクＩＤ４２にペアリングされるレコーダＩＤを、ユーザの操作に基づいて、選択可能に構成されている。
【０１６９】
具体的には、図１６に示すように、ＢＤレコーダ６０１の制御部６１１は、著作権管理サーバ６０２からペアリングを選択する必要がある比較結果を取得した場合には、ＯＳＤ部１６を介して、テレビジョン装置３の表示部３３に、ユーザにペアリングを選択させるための表示を表示する制御を行うように構成されている。たとえば、ペアリングを選択させるための表示は、ディスクＩＤ４２（またはコンテンツ４１のタイトル）を含む。また、この表示は、ディスクＩＤ４２にペアリングされているＢＤレコーダの装置名（またはレコーダＩＤ）を含む。また、この表示は、レコーダＩＤ４３の装置名（図１６の装置Ｆ）を含む。また、この表示は、ペアリングを解除を選択するための操作部表示（たとえば、図１６の「解除」）を含む。また、この表示は、ペアリングを解除せずにリッピング処理を中止するための操作部表示（図１６の「追加しない」）を含む。
【０１７０】
そして、著作権管理サーバ６０２の制御部６２１は、ＢＤレコーダ６０１から選択結果を取得して、取得した選択結果に基づいて、ディスクＩＤに対するディスクＩＤのペアリングを行う制御を行うように構成されている。また、第６実施形態によるコンテンツ管理システム６００のその他の構成は、第１実施形態におけるコンテンツ管理システム１００と同様である。
【０１７１】
次に、図１７を参照して、第６実施形態によるコンテンツ管理システム６００のペアリング選択制御処理フローについて説明する。なお、ＢＤレコーダ６０１における処理は、制御部６１１により行われる。著作権管理サーバ６０２における処理は、制御部６２１により行われる。
【０１７２】
まず、図１７に示すように、ＢＤレコーダ６０１では、ステップＳ４０１およびＳ４０２においては、第４実施形態によるＢＤレコーダ４０１のペアリング比較制御処理フローにおけるステップＳ４０１およびＳ４０２と同様の処理が行われる。その後、ステップＳ６０１に進む。
【０１７３】
そして、ステップＳ６０１において、後述する著作権管理サーバ６０２からの比較結果に基づいて、ペアリングを選択する必要があるか否かが判断される。ペアリングを選択する必要がある場合には、ステップＳ６０２に進み、ペアリングを選択する必要がない場合には、ステップＳ１に進む。
【０１７４】
そして、ステップＳ６０２において、ペアリングを選択するための表示がＯＳＤ部１６から出力され、テレビジョン装置３の表示部３３にペアリングを選択するための表示（図１６参照）が表示される。その後、ステップＳ６０３に進む。
【０１７５】
そして、ステップＳ６０３において、ユーザの操作によるリッピング処理を実行するための操作を受け付けたか否かが判断される。たとえば、ユーザは、表示部３３に表示されたペアリングを選択するための表示に基づいて、ディスクＩＤ４２にペアリングされている他のＢＤレコーダのレコーダＩＤから、ＢＤレコーダ６０１のレコーダＩＤ４３をディスクＩＤ４２にペアリングすることに変更することを選択した場合には、ステップＳ１に進む。ＢＤレコーダ６０１のレコーダＩＤ４３をディスクＩＤ４２にペアリングしない場合には、ステップＳ６０４に進む。
【０１７６】
そして、ステップＳ１およびＳ２においては、第１実施形態によるリッピング処理およびリッピング制限処理（図４参照）によるステップＳ１およびＳ２と同様の処理が行われる。その後、ステップＳ６０４に進む。
【０１７７】
そして、ステップＳ６０４において、ディスクＩＤ４２と、レコーダＩＤ４２と、ステップＳ６０２において選択された選択結果とが著作権管理サーバ６０２に送信される。その後、ステップＳ４に進む。そして、ステップＳ４においては、第１実施形態によるリッピング処理およびリッピング制限処理（図４参照）によるステップＳ４と同様の処理が行われる。その後、ＢＤレコーダ６０１によるペアリング選択制御処理フローは終了される。
【０１７８】
一方、著作権管理サーバ６０２では、ステップＳ６１１において、記憶部２２に記憶されているディスクＩＤ４２にペアリングされているレコーダＩＤの数が許容数未満か否かが判断される。レコーダＩＤの数が許容数未満の場合には、ステップＳ６１４に進み、レコーダＩＤの数が許容数未満でない（許容数に達している）場合には、ステップＳ６１２に進む。
【０１７９】
そして、ステップＳ６１２において、記憶部２２に記憶されているディスクＩＤ４２にペアリングされているレコーダＩＤに取得したレコーダＩＤ４３が含まれているか否かが判断される。レコーダＩＤ４３が含まれている場合には、ステップＳ６１３に進み、レコーダＩＤ４３が含まれていない場合には、ステップＳ６１４に進む。
【０１８０】
そして、ステップＳ６１３において、ペアリングを選択する必要があることを示す比較結果がＢＤレコーダ６０１に送信される。その後、ステップＳ６１５に進む。
【０１８１】
また、ステップＳ６１４において、ペアリングを選択する必要がないことを示す比較結果がＢＤレコーダ６０１に送信される。その後、ステップＳ５２０に進む。
【０１８２】
そして、ステップＳ６１５において、選択結果が反映される。すなわち、ＢＤレコーダ６０１から取得した選択結果に基づいて、ディスクＩＤ４２に対するペアリングが変更される。その後、ステップＳ５２０に進む。
【０１８３】
そして、ステップＳ５２０においては、第５実施形態によるリセット可否判断制御処理（図１５参照）と同様の処理が行われる。その後、著作権管理サーバ６０２によるペアリング選択制御処理フローは終了される。
【０１８４】
第６実施形態では、以下のような効果を得ることができる。
【０１８５】
第６実施形態では、上記のように、著作権管理サーバ６０２の制御部６１１を、１つのディスクＩＤ４２に対して、複数のレコーダＩＤをペアリングすることが可能に構成するとともに、著作権管理サーバ６０２の記憶部２２に記憶されているディスクＩＤ４２にペアリングされているレコーダＩＤの数が所定の複数の許容数に達した場合に、ディスクＩＤ４２にペアリングされるレコーダＩＤを、ユーザの操作に基づいて、選択可能に構成する。これにより、ユーザの必要性に応じて、ペアリングされている装置を任意に変更することができる。また、第６実施形態によるコンテンツ管理システム６００のその他の効果は、第１実施形態におけるコンテンツ管理システム１００と同様である。
【０１８６】
（第７実施形態）
次に、図１を参照して、第７実施形態によるコンテンツ管理システム７００の構成について説明する。第７実施形態では、ＢＤレコーダの制御部は、著作権管理サーバと接続できない場合には、所定の期間または所定の制限回数は、リッピング処理されたコンテンツを再生することを許可するように構成されている。
【０１８７】
図１に示すように、第７実施形態によるコンテンツ管理システム７００は、ＢＤレコーダ７０１と、著作権管理サーバ７０２とを含む。そして、ＢＤレコーダ７０１は、制御部７１１を含み、著作権管理サーバ７０２は、制御部７２１を含む。
【０１８８】
ここで、第７実施形態では、ＢＤレコーダ７０１の制御部７１１は、著作権管理サーバ７０２と、インターネット６を介して、接続できない場合には、所定の期間（たとえば、２４時間）、または、所定の制限回数（たとえば、１０回）は、リッピング処理されたコンテンツ４１を再生することを許可する制御を行うように構成されている。また、第７実施形態によるコンテンツ管理システム７００のその他の構成は、第１実施形態におけるコンテンツ管理システム１００と同様である。
【０１８９】
次に、図１８を参照して、第７実施形態によるコンテンツ管理システム７００のコンテンツ再生制御処理フローについて説明する。なお、ＢＤレコーダ７０１における処理は、制御部７１１により行われる。著作権管理サーバ７０２における処理は、制御部７２１により行われる。
【０１９０】
まず、図１８に示すように、ＢＤレコーダ７０１では、ステップＳ７においては、第１実施形態によるコンテンツ再生制御処理（図５参照）のステップＳ７と同様の処理が行われる。その後、ステップＳ７０１に進む。
【０１９１】
そして、ステップＳ７０１において、著作権管理サーバ７０２と接続可能か否かが判断される。接続可能な場合には、ステップＳ８に進み、接続可能でない場合には、ステップＳ７０２に進む。
【０１９２】
ここで、第７実施形態では、ステップＳ７０２において、著作権管理サーバ７０２と、直前に接続された時間からの経過した時間が所定の期間（たとえば、２４時間）以内か、または、再生制限回数（たとえば、１０回）が１回以上かが判断される。すなわち、直前に接続された時間からの経過した時間が所定の期間を超えた場合で、かつ、再生制限回数が０回の場合には、コンテンツ４１は再生されずに、ＢＤレコーダ７０１によるコンテンツ再生制御処理は終了される。そして、直前に接続された時間からの経過した時間が所定の期間以内、または、再生制限回数が１回以上の場合には、ステップＳ７０３に進む。
【０１９３】
そして、ステップＳ７０３において、コンテンツ４１の再生が行われる。すなわち、ＯＳＤ部１６を介して、テレビジョン装置３の表示部３３にコンテンツ４１が表示される。そして、著作権管理サーバ７０２との接続ができない場合に、再生が行われた場合には、再生制限回数を１回分減らして、ハードディスクドライブ１５に記憶が行われる。その後、ＢＤレコーダ７０１によるコンテンツ再生制御処理フローが終了される。
【０１９４】
また、ステップＳ７０１において著作権管理サーバ７０２と接続可能な場合に進むステップＳ８においては、第１実施形態のコンテンツ再生制御処理におけるステップＳ８と同様の処理が行われる。その後、ステップＳ９に進む。そして、ステップＳ９において、コンテンツの再生が許可されたか否かが判断される。コンテンツの再生が許可された場合には、ステップＳ７０３に進み、コンテンツの再生が許可された場合には、ＢＤレコーダ７０１によるコンテンツ再生制御処理フローが終了される。
【０１９５】
一方、著作権管理サーバ７０２では、ステップＳ２０においては、第１実施形態によるコンテンツ再生制御処理のステップＳ２０と同様の処理が行われる。その後、著作権管理サーバ７０２によるコンテンツ再生制御処理フローが終了される。
【０１９６】
第７実施形態では、以下のような効果を得ることができる。
【０１９７】
第７実施形態では、上記のように、ＢＤレコーダ７０１の制御部７１１は、著作権管理サーバ７０２と、インターネット６を介して、接続できない場合には、所定の期間（たとえば、２４時間）、または、所定の制限回数（たとえば、１０回）は、リッピング処理されたコンテンツ４１を再生することを許可する制御を行うように構成されている。これにより、ＢＤレコーダ７０１がインターネット６と接続ができない場合、または、著作権管理サーバ７０２が動作していない場合でも、ＢＤレコーダ７０１によりコンテンツ４１を再生することができる。また、第７実施形態によるコンテンツ管理システム７００のその他の効果は、第１実施形態におけるコンテンツ管理システム１００と同様である。
【０１９８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１９９】
たとえば、上記第１〜第７実施形態では、本発明のコンテンツ再生装置として、ブルーレイディスク（ＢＤ）レコーダを用いる例を示したが、本発明はこれに限られない。本発明は、コンテンツ再生装置としてＢＤレコーダ以外のコンテンツ再生装置を用いてもよい。たとえば、コンテンツ再生装置として、ＤＶＤ（Ｄｉｇｉｔａｌ  Ｖｅｒｓａｔｉｌｅ  Ｄｉｓｋ）レコーダを用いてもよい。
【０２００】
また、上記第１〜第７実施形態では、本発明の記憶媒体として、ブルーレイディスクを用いる例を示したが、本発明はこれに限られない。本発明は、記憶媒体として、ブルーレイディスク以外の記憶媒体を用いてもよい。たとえば、記憶媒体として、ＤＶＤを用いてもよい。
【０２０１】
また、上記第１〜第７実施形態では、本発明の外部記憶部として、メモリを用いる例を示したが、本発明はこれに限られない。本発明は、外部記憶部として、メモリ以外の外部記憶部を用いてもよい。たとえば、外部記憶部として、コンテンツ再生装置の外部に接続可能に構成されたハードディスクドライブを用いてもよい。
【０２０２】
また、上記第１〜第７実施形態では、本発明のコンテンツを再生する際のコンテンツ管理システムの制御方法の例として、ＢＤレコーダのハードディスクドライブにリッピング処理されたコンテンツを再生する際に、上記コンテンツ管理システムの制御方法を用いる例を示したが、本発明はこれに限られない。本発明は、ＢＤレコーダのハードディスクドライブ以外にリッピング処理されたコンテンツを再生する際でも、上記第１〜第７実施形態におけるコンテンツ管理システムの制御方法を用いてもよい。たとえば、外部のメモリにリッピング処理されたコンテンツを再生する際でも、上記第１〜第７実施形態におけるコンテンツ管理システムの制御方法を用いてもよい。
【０２０３】
また、上記第１〜第７実施形態では、本発明のリッピング制限回数の初期の回数を１０回とする例を示したが、本発明はこれに限られない。本発明は、リッピング制限回数の初期の回数を１０回以外の回数に構成してもよい。たとえば、リッピング制限回数の初期の回数を１０回より大きい回数にしてもよいし、１０回未満の回数に構成してもよい。
【０２０４】
また、上記第１〜第７実施形態では、本発明の所定の複数の許容数として５台とする例を示したが、本発明はこれに限られない。本発明は、所定の複数の許容数として５台以外
の数に構成してもよい。たとえば、所定の複数の許容数を５台より大きい数にしてもよいし、５台未満の数に構成してもよい。
【０２０５】
また、上記第３実施形態では、本発明のリッピング処理回数をＢＤレコーダが記憶するように構成する例を示したが、本発明はこれに限られない。本発明は、リッピング処理回数を著作権管理サーバが記憶するように構成してもよい。
【０２０６】
また、上記第１〜第７実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０２０７】
１、１ａ、２０１、３０１、３０１ａ、４０１、５０１、６０１、７０１  ＢＤレコーダ（コンテンツ再生装置）
２、２０２、３０２、４０２、５０２、６０２、７０２  著作権管理サーバ（管理サーバ）
４  ブルーレイディスク（記憶媒体）
５  メモリ（外部記憶部）
１１、２１１、３１１、４１１、５１１、６１１、７１１  制御部（装置側制御部）
１５、３１５  ハードディスクドライブ（装置側記憶部）
１６  ＯＳＤ部（出力部）
２１、２２１、３２１、４２１、５２１、６２１、７２１  制御部（サーバ側制御部）
２２  記憶部（サーバ側記憶部）
４１  コンテンツ
４２  ディスクＩＤ（媒体識別情報）
４３、４３ａ  レコーダＩＤ（装置識別情報）
４４  コンテンツの一覧
４５  コンテンツＩＤ
１００、２００、３００、４００、５００、６００、７００  コンテンツ管理システム
【図１】
2015207054.tif 000003
【図２】
2015207054.tif 000004
【図３】
2015207054.tif 000005
【図４】
2015207054.tif 000006
【図５】
2015207054.tif 000007
【図６】
2015207054.tif 000008
【図７】
2015207054.tif 000009
【図８】
2015207054.tif 000010
【図９】
2015207054.tif 000011
【図１０】
2015207054.tif 000012
【図１１】
2015207054.tif 000013
【図１２】
2015207054.tif 000014
【図１３】
2015207054.tif 000015
【図１４】
2015207054.tif 000016
【図１５】
2015207054.tif 000017
【図１６】
2015207054.tif 000018
【図１７】
2015207054.tif 000019
【図１８】
2015207054.tif 000020